(57)【特許請求の範囲】
【請求項１】
偏向波形を発生する装置と、前記偏向波形発生装置の出力を正入力とする正負２入力を有する反転増幅器と、前記反転増幅器の出力をＰＷＭ方式で増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記電流検出装置により検出された偏向コイルに流れる電流量を検出した検出データを約１水平期間以内の任意の時間だけ遅延させる遅延装置と、前記遅延装置の出力を反転増幅器の負入力にＦＢするＦＢラインとにより構成されるＣＲＴの偏向装置。
【請求項２】
偏向波形を発生する装置と、前記偏向波形発生装置の出力を正入力とする正負２入力を有する反転増幅器と、前記反転増幅器の出力をＰＷＭ方式で増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記電流検出装置により検出された偏向コイルに流れる電流量を検出した検出データを約１垂直期間以内の任意の時間だけ遅延させる遅延装置と、前記遅延装置の出力を反転増幅器の負入力にＦＢするＦＢラインとにより構成されるＣＲＴの偏向装置。
【請求項３】
前記請求項１及び２のＣＲＴ偏向装置において、偏向コイルに流れる電流量を検出した検出データを遅延させる遅延手段において、遅延量を変更可能であるという特徴を有した遅延手段と、受信映像信号の信号方式を検出して前記遅延手段の遅延量を切り替える切り替え手段とを備えたＣＲＴ偏向装置。
【発明の詳細な説明】
【０００１】
【発明の属する技術分野】
本発明は、テレビ、モニター、ビデオプロジェクター等の偏向装置を有する機器に関するものである。
【０００２】
【従来の技術】
従来の偏向装置を有する機器では、一般的には例えば特開平６−３０３４４３に示すように映像信号の同期信号成分から水平と垂直の偏向タイミングを検出し、アナログ回路構成により偏向信号を作成し、且つ増幅して偏向コイルに電流を流し、偏向していた。
また、例えば、特開平７−２１２７７９に示すように、偏向信号をデジタル処理ＬＳＩとＬＰＦ、Ａ／Ｄ、Ｄ／Ａコンバータにより構成される事を特徴とした偏向波形作成装置により、任意の偏向波形を作成し、アナログ回路構成により増幅して偏向コイルに電流を流し、偏向していた。
また、増幅効率の高いＤ級増幅器として、例えば特開平７−２３１２２６に示すように電力増幅器等があった。
【０００３】
【発明が解決しようとする課題】
このように、高い増幅率が必要となる偏向装置において、増幅効率の低いアナログ増幅器を使用する場合には、熱に変換される損失分が大きいため、損失分だけ不必要なエネルギーが発生する課題があった。また、熱に変換された損失分からアナログ増幅器を保護するための放熱版が必要となり、放熱版が占める基板実装面積が大きいために、基板パターン設計や基板構成設計時に設計自由度を制約しているという課題があった。
【０００４】
【課題を解決するための手段】
前記課題を解決するために、本願記載の第１の発明の偏向装置では、前記増幅効率の低いアナログ増幅器の代わりに増幅効率の高いＤ級増幅器を使用することにより、不必要な電力の消費と熱の発生を抑え、従来必要とされていた放熱版を削除することを特徴としたものである。
【０００５】
本発明によれば、偏向装置において従来熱に変換されたいたエネルギーの低減を図ることができる偏向装置を提供できる。
【０００６】
また、本発明によれば、偏向装置において従来熱に変換された損失分からアナログ増幅器を保護するため必要とされていた放熱版が削除可能となり、放熱版による基板パターン設計時や基板構成設計時の制約条件が発生しない偏向装置を提供できる。
【０００７】
【発明の実施の形態】
本願記載の第２の発明は、ＣＲＴの偏向装置において、偏向波形を発生する装置と、前記偏向波形発生装置の出力をパルス幅変調（以下ＰＷＭと表記）して増幅するＤ級アンプと、前記Ｄ級アンプの出力の高周波数成分除去するローパスフィルタ（以下ＬＰＦと記述）と、ＣＲＴのビームを偏向する偏向コイルとより構成され、最も増幅度の高い増幅器に増幅効率の高いＤ級増幅器を使用して損失分を低減させることにより、消費電力を低減し、放熱版を削除できるという作用を有する。
【０００８】
本願記載の第３の発明は、ＣＲＴの偏向装置において、偏向波形を発生する装置と、前記偏向波形発生装置の出力を正入力とする正負２入力を有する反転増幅器と、前記反転増幅器の出力をＰＷＭ方式で増幅するＤ級アンプと、前記Ｄ級アンプの出力の高周波数成分除去する第１のＬＰＦと、前記第１のＬＰＦの出力信号でＣＲＴのビームを偏向する偏向コイルと、前記Ｄ級アンプの出力の高周波数成分除去する第二のＬＰＦと前記第二のＬＰＦの出力信号を前記反転増幅器の負入力にフィードバック（以下ＦＢと表記）するＦＢラインとにより構成され、最も増幅度の高い増幅器に増幅効率の高いＤ級増幅器を使用して損失分を低減させることにより、消費電力を低減し、放熱版を削除できるという作用を有すると共に、ＦＢをかけることにより、Ｄ級増幅器の増幅度の安定を図ることが出来るという作用を有する。
【０００９】
本願記載の第４の発明は、ＣＲＴの偏向装置において、偏向波形を発生する装置と、前記偏向波形発生装置の出力を正入力とする正負２入力を有する反転増幅器と、前記反転増幅器の出力をＰＷＭ方式で増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記電流検出装置により検出された偏向コイルに流れる電流量を検出した検出データを前記反転増幅器の負入力にＦＢするＦＢラインとにより構成され、最も増幅度の高い増幅器に増幅効率の高いＤ級増幅器を使用して損失分を低減させることにより、消費電力を低減し、放熱版を削除できるという作用を有すると共に、偏向コイルの偏向電流を検出してＦＢをかけることにより、Ｄ級増幅器の増幅度と偏向電流の安定を図ることが出来るという作用を有する。
【００１０】
本願記載の第５の発明は、ＣＲＴの偏向装置において、偏向波形を発生する装置と、前記偏向波形発生装置の出力を正入力とする正負２入力を有する反転増幅器と、前記反転増幅器の出力をＰＷＭ方式で増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記電流検出装置により検出された偏向コイルに流れる電流量を検出した検出データを約１水平期間以内の任意の時間だけ遅延させる遅延装置と、前記遅延装置の出力を反転増幅器の負入力にＦＢするＦＢラインとにより構成され、最も増幅度の高い増幅器に増幅効率の高いＤ級増幅器を使用して損失分を低減させることにより、消費電力を低減し、放熱版を削除できるという作用を有する。また、ＦＢ信号である偏向コイルの偏向電流検出値がＰＷＭ処理とＬＰＦによって遅延してしまい、ＦＢによる回路の安定化に影響を与えるため、偏向波形が１水平期間前後で近似していることを利用して、ＦＢ信号を任意の１水平期間以内の遅延時間で遅延することにより、１Ｈ前のオリジナル信号と１Ｈ後のＦＢ信号で負帰還をかけるようにする。このことにより、ＰＷＭ処理とＬＰＦによって発生する遅延に関係なく、Ｄ級増幅器の増幅度と偏向電流の安定を図ることが出来るという作用を有する。
【００１１】
本願記載の第６の発明は、ＣＲＴの偏向装置において、偏向波形を発生する装置と、前記偏向波形発生装置の出力を正入力とする正負２入力を有する反転増幅器と、前記反転増幅器の出力をＰＷＭ方式で増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記電流検出装置により検出された偏向コイルに流れる電流量を検出した検出データを約１垂直期間以内の任意の時間だけ遅延させる遅延装置と、前記遅延装置の出力を反転増幅器の負入力にＦＢするＦＢラインとにより構成され、最も増幅度の高い増幅器に増幅効率の高いＤ級増幅器を使用して損失分を低減させることにより、消費電力を低減し、放熱版を削除できるという作用を有する。また、ＦＢ信号である偏向コイルの偏向電流検出値がＰＷＭ処理とＬＰＦによって遅延してしまい、ＦＢによる回路の安定化に影響を与えるため、偏向波形が１垂直期間前後で同じであることを利用して、ＦＢ信号を任意の１垂直期間以内の遅延時間で遅延することにより、１Ｖ前のオリジナル信号と１Ｖ後のＦＢ信号で負帰還をかけるようにする。このことにより、本願記載の第５の発明では、水平偏向開始と終了ラインでは比較する波形が無いために負帰還が安定していなかったが、その部分も含めて、ＰＷＭ処理とＬＰＦによって発生する遅延に関係なく、Ｄ級増幅器の増幅度と偏向電流の安定を図ることが出来るという作用を有する。るＣＲＴの偏向装置。
【００１２】
本願記載の第７の発明は、ＣＲＴの偏向装置において、前記第５及び６の発明のＣＲＴ偏向装置において、偏向コイルに流れる電流量を検出した検出データを遅延させる遅延手段において、遅延量を変更可能であるという特徴を有した遅延手段と、受信映像信号の信号方式を検出して前記遅延手段の遅延量を切り替える切り替え手段とを備え、信号方式の違いにより発生する水平期間又は垂直期間の違いに対応して遅延量を切り替えることにより、信号方式にに関係なく、Ｄ級増幅器の増幅度と偏向電流の安定を図ることが出来るという作用を有する。
【００１３】
本願記載の第８の発明は、ＣＲＴの偏向装置において、偏向波形を発生する装置と、前記偏向波形発生装置の出力を正入力とする正負２入力を有する反転増幅器と、前記反転増幅器の出力を入力信号としてＰＷＭ方式で増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記電流検出装置により検出された偏向コイルに流れる電流量を検出した検出データを約１水平期間以内の任意の時間だけ遅延させる遅延手段と前記遅延された検出データを前記反転増幅器にＦＢするＦＢラインと前記反転増幅器に入力されるオリジナル偏向信号の水平偏向開始ポイントとＦＢ信号の水平偏向開始ポイントとの差を検出する位相差検出装置と前記位相差検出装置の検出値により前記偏向コイルに流れる電流量を検出した検出データを遅延させる遅延手段の遅延量を制御する制御手段により構成され、最も増幅度の高い増幅器に増幅効率の高いＤ級増幅器を使用して損失分を低減させることにより、消費電力を低減し、放熱版を削除できるという作用を有する。また、ＦＢ信号である偏向コイルの偏向電流検出値がＰＷＭ処理とＬＰＦによって遅延してしまい、ＦＢによる回路の安定化に影響を与えるため、偏向波形が１水平期間前後で近似していることを利用して、ＦＢ信号を任意の１水平期間以内の遅延時間で遅延することにより、１Ｈ前のオリジナル信号と１Ｈ後のＦＢ信号で負帰還をかけるようにする。前記負帰還を安定して行うため、前記１Ｈ前のオリジナル信号と１Ｈ後のＦＢ信号のタイミングが正確に合うように、オリジナル信号とＦＢ信号の水平偏向開始ポイントをそれぞれ検出して、各水平偏向開始ポイントが一致するように遅延時間を自動的に追従して調整する。このことにより、本願記載の第４、６の発明では、遅延装置の遅延時間が固定であったため、微妙にずれていた前記１Ｈ前のオリジナル信号と１Ｈ後のＦＢ信号のタイミングを常に一致させれことができ、ＰＷＭ処理とＬＰＦによって発生する遅延に関係なく、Ｄ級増幅器の増幅度と偏向電流の安定を図ることが出来るという作用を有する。
【００１４】
本願記載の第９の発明は、ＣＲＴの偏向装置において、偏向波形を発生する装置と、前記偏向波形発生装置の出力を正入力とする正負２入力を有する反転増幅器と、前記反転増幅器の出力を入力信号としてＰＷＭ方式で増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記電流検出装置により検出された偏向コイルに流れる電流量を検出した検出データを約１垂直期間以内の任意の時間だけ遅延させる遅延手段と前記遅延された検出データを前記反転増幅器にＦＢするＦＢラインと前記反転増幅器に入力されるオリジナル偏向信号の垂直偏向開始ポイントとＦＢ信号の垂直偏向開始ポイントとの差を検出する位相差検出装置と前記位相差検出装置の検出値により前記偏向コイルに流れる電流量を検出した検出データを遅延させる遅延手段の遅延量を制御する制御手段により構成され、最も増幅度の高い増幅器に増幅効率の高いＤ級増幅器を使用して損失分を低減させることにより、消費電力を低減し、放熱版を削除できるという作用を有する。また、ＦＢ信号である偏向コイルの偏向電流検出値がＰＷＭ処理とＬＰＦによって遅延してしまい、ＦＢによる回路の安定化に影響を与えるため、偏向波形が１垂直期間前後で同じであることを利用して、ＦＢ信号を任意の１垂直期間以内の遅延時間で遅延することにより、１Ｖ前のオリジナル信号と１Ｖ後のＦＢ信号で負帰還をかけるようにする。前記負帰還を安定して行うため、前記１Ｖ前のオリジナル信号と１Ｖ後のＦＢ信号のタイミングが正確に合うように、オリジナル信号とＦＢ信号の垂直偏向開始ポイントをそれぞれ検出して、各垂直偏向開始ポイントが一致するように遅延時間を自動的に追従して調整する。このことにより、本願記載の第５、６の発明では、遅延装置の遅延時間が固定であったため、微妙にずれていた前記１Ｖ前のオリジナル信号と１Ｖ後のＦＢ信号のタイミングを常に一致させれことができ、ＰＷＭ処理とＬＰＦによって発生する遅延に関係なく、Ｄ級増幅器の増幅度と偏向電流の安定を図ることが出来るという作用を有する。
【００１５】
本願記載の第１０の発明は、ＣＲＴの偏向装置において、偏向波形を発生する装置と、ＨＰから水平偏向基準信号を発生する水平基準信号発生装置と、前記偏向波形発生装置の出力と前記水平偏向基準信号発生装置の出力を合成する手段と、前記合成手段の出力を正入力とする正負２入力を有する反転増幅器と、前記反転増幅器の出力を入力信号としてＰＷＭ方式で増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記電流検出装置により検出された偏向コイルに流れる電流量を検出した検出データを約１水平期間以内の任意の時間だけ遅延させる遅延手段と、前記遅延された検出データを前記反転増幅器にＦＢするＦＢラインと、前記反転増幅器の正入力端子に入力されるオリジナル偏向信号の水平偏向基準信号とＦＢ信号の水平偏向基準信号との差を検出する位相差検出装置と前記位相差検出装置の検出値により前記偏向コイルに流れる電流量を検出した検出データを遅延させる遅延手段の遅延量を制御する制御手段により構成され、最も増幅度の高い増幅器に増幅効率の高いＤ級増幅器を使用して損失分を低減させることにより、消費電力を低減し、放熱版を削除できるという作用を有する。また、ＦＢ信号である偏向コイルの偏向電流検出値がＰＷＭ処理とＬＰＦによって遅延してしまい、ＦＢによる回路の安定化に影響を与えるため、偏向波形が１水平期間前後で近似していることを利用して、ＦＢ信号を任意の１水平期間以内の遅延時間で遅延することにより、１Ｈ前のオリジナル信号と１Ｈ後のＦＢ信号で負帰還をかけるようにする。前記負帰還を安定して行うため、前記１Ｈ前のオリジナル信号と１Ｈ後のＦＢ信号のタイミングが正確に合うように、偏向信号の水平帰線期間に水平偏向基準信号を挿入し、オリジナル偏向信号とＦＢ信号の水平偏向基準信号が一致するように遅延時間を自動的に追従して調整する。このことにより、本願記載の第８の発明よりも単純な回路動作で、１Ｈ前のオリジナル信号と１Ｈ後のＦＢ信号のタイミングを常に一致させることができ、ＰＷＭ処理とＬＰＦによって発生する遅延に関係なく、Ｄ級増幅器の増幅度と偏向電流の安定を図ることが出来るという作用を有する。
【００１６】
本願記載の第１１の発明は、ＣＲＴの偏向装置において、偏向波形を発生する装置と、ＶＰから垂直偏向基準信号を発生する垂直偏向基準信号発生装置と、前記偏向波形発生装置の出力と前記垂直偏向基準信号発生装置の出力を合成する手段と、前記合成手段の出力を正入力とする正負２入力を有する反転増幅器と、前記反転増幅器の出力を入力信号としてＰＷＭ方式で増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記電流検出装置により検出された偏向コイルに流れる電流量を検出した検出データを約１垂直期間以内の任意の時間だけ遅延させる遅延手段と、前記遅延された検出データを前記反転増幅器にＦＢするＦＢラインと、前記反転増幅器の正入力端子に入力されるオリジナル偏向信号の垂直偏向基準信号とＦＢ信号の垂直偏向基準信号との差を検出する位相差検出装置と前記位相差検出装置の検出値により前記偏向コイルに流れる電流量を検出した検出データを遅延させる遅延手段の遅延量を制御する制御手段により構成され、最も増幅度の高い増幅器に増幅効率の高いＤ級増幅器を使用して損失分を低減させることにより、消費電力を低減し、放熱版を削除できるという作用を有する。また、ＦＢ信号である偏向コイルの偏向電流検出値がＰＷＭ処理とＬＰＦによって遅延してしまい、ＦＢによる回路の安定化に影響を与えるため、偏向波形が１垂直期間前後で同じであることを利用して、ＦＢ信号を任意の１垂直期間以内の遅延時間で遅延することにより、１Ｖ前のオリジナル信号と１Ｖ後のＦＢ信号で負帰還をかけるようにする。前記負帰還を安定して行うため、前記１Ｖ前のオリジナル信号と１Ｖ後のＦＢ信号のタイミングが正確に合うように、偏向信号の垂直帰線期間に垂直偏向基準信号を挿入し、オリジナル偏向信号とＦＢ信号の水平偏向基準信号が一致するように遅延時間を自動的に追従して調整する。このことにより、本願記載の第９の発明よりも単純な回路動作で、１Ｖ前のオリジナル信号と１Ｖ後のＦＢ信号のタイミングを常に一致させることができ、ＰＷＭ処理とＬＰＦによって発生する遅延に関係なく、Ｄ級増幅器の増幅度と偏向電流の安定を図ることが出来るという作用を有する。
【００１７】
本願記載の第１２の発明は、ＣＲＴの偏向装置において、ＨＰとＶＰと制御データを入力信号としてデジタル処理により任意の偏向波形を作成するデジタル偏向波形発生装置と、前記デジタル偏向波形発生装置のデジタル出力値をアナログに変換するＤ／Ａコンバータと、前記Ｄ／Ａコンバータの出力を正入力とする正負２入力を有する反転増幅器と、前記反転増幅器の出力を入力信号としてＰＷＭ方式で増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記検出装置により検出された値をデジタル値に変換するＡ／Ｄコンバータと、前記Ａ／Ｄコンバータでデジタル値に変換された偏向電流検出データを任意の時間だけ遅延させる遅延手段と、前記遅延手段の出力をアナログ値に変換するＤ／Ａコンバータと、前記Ｄ／Ａコンバータの出力を前記反転増幅器の負入力にＦＢするＦＢラインとにより構成され、最も増幅度の高い増幅器に増幅効率の高いＤ級増幅器を使用して損失分を低減させることにより、消費電力を低減し、放熱版を削除できるという作用を有する。また、ＦＢ信号である偏向コイルの偏向電流検出値がＰＷＭ処理とＬＰＦによって遅延してしまい、ＦＢによる回路の安定化に影響を与えるため、偏向波形が１水平期間前後で近似していること、又は１垂直期間で同じであることを利用して、ＦＢ信号を任意の遅延時間で遅延することにより、同じ位相で負帰還をかけるようにする必要があり、微妙な遅延時間の調整が必要となる。この微妙な遅延時間の調整をデジタル処理で行うことにより、Ｄ級増幅器の増幅度と偏向電流の安定を図ることが出来るという作用を有する。本願記載の第１３の発明は、ＣＲＴの偏向装置において、ＨＰとＶＰと制御データを入力信号としてデジタル処理により任意の偏向波形を作成するデジタル偏向波形発生装置と、前記デジタル偏向波形発生装置のデジタル出力値をアナログに変換するＤ／Ａコンバータと、前記Ｄ／Ａコンバータの出力を入力信号としてＰＷＭ方式で増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記検出装置により検出された値をデジタル値に変換するＡ／Ｄコンバータと、前記Ａ／Ｄコンバータでデジタル値に変換された偏向電流検出データを任意の時間だけ遅延させる遅延手段と、前記遅延手段の出力をデジタル値の状態で前記デジタル偏向波形発生装置にＦＢするＦＢラインとにより構成され、最も増幅度の高い増幅器に増幅効率の高いＤ級増幅器を使用して損失分を低減させることにより、消費電力を低減し、放熱版を削除できるという作用を有する。また、ＦＢ信号である偏向コイルの偏向電流検出値がＰＷＭ処理とＬＰＦによって遅延してしまい、ＦＢによる回路の安定化に影響を与えるため、偏向波形が１水平期間前後で近似していること、又は１垂直期間で同じであることを利用して、ＦＢ信号を任意の遅延時間で遅延することにより、同じ位相で負帰還をかけるようにする必要があり、微妙な遅延時間の調整が必要となる。この微妙な遅延時間の調整をデジタル処理で行うことにより、Ｄ級増幅器の増幅度と偏向電流の安定を図ることが出来るという作用を有する。また、遅延手段の出力をデジタル値の状態で前記デジタル偏向波形発生装置にＦＢすることが出来るため、第１２の発明に対し、Ｄ／Ａコンバータが削減できるとい
う作用を有する。
【００１８】
本願記載の第１４の発明は、ＣＲＴの偏向装置において、ＨＰとＶＰと制御データを入力信号としてデジタル処理により任意の偏向波形をＰＷＭ方式で発生するデジタル偏向波形発生装置と、前記デジタル偏向波形発生装置の出力を増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記検出装置により検出された値をデジタル値に変換するＡ／Ｄコンバータと、前記Ａ／Ｄコンバータでデジタル値に変換された偏向電流検出データを任意の時間だけ遅延させる遅延手段と、前記遅延手段の出力をデジタル値の状態で前記デジタル偏向波形発生装置にＦＢするＦＢラインとにより構成され、最も増幅度の高い増幅器に増幅効率の高いＤ級増幅器を使用して損失分を低減させることにより、消費電力を低減し、放熱版を削除できるという作用を有する。また、ＦＢ信号である偏向コイルの偏向電流検出値がＰＷＭ処理とＬＰＦによって遅延してしまい、ＦＢによる回路の安定化に影響を与えるため、偏向波形が１水平期間前後で近似していること、又は１垂直期間で同じであることを利用して、ＦＢ信号を任意の遅延時間で遅延することにより、同じ位相で負帰還をかけるようにする必要があり、微妙な遅延時間の調整が必要となる。この微妙な遅延時間の調整をデジタル処理で行うことにより、Ｄ級増幅器の増幅度と偏向電流の安定を図ることが出来るという作用を有する。また、遅延手段の出力をデジタル値の状態で前記デジタル偏向波形発生装置にＦＢすることが出来るため、第１２の発明に対し、Ｄ／Ａコンバータが削減できるという作用を有する。また、偏向波形発生装置からの出力をＰＷＭにする事により、第１３の発明に対し、Ｄ／Ａコンバータが削減できるという作用を有する。
【００１９】
本願記載の第１５の発明は、ＣＲＴの偏向装置において、ＨＰとＶＰと制御データを入力信号としてデジタル処理により任意の偏向波形をＰＷＭ方式で発生するデジタル偏向波形発生装置と、前記デジタル偏向波形発生装置の出力を増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記検出装置により検出された値をＰＷＭ変換するＰＷＭ変換装置と、前記ＰＷＭ変換装置でＰＷＭデータに変換された偏向電流検出データをデジタル値に変換する符号化装置と、前記符号化装置でデジタル値化されたデータを任意の時間だけ遅延させる遅延手段と、前記遅延手段の出力をデジタル値の状態で前記デジタル偏向波形発生装置にＦＢするＦＢラインとにより構成され、最も増幅度の高い増幅器に増幅効率の高いＤ級増幅器を使用して損失分を低減させることにより、消費電力を低減し、放熱版を削除できるという作用を有する。また、ＦＢ信号である偏向コイルの偏向電流検出値がＰＷＭ処理とＬＰＦによって遅延してしまい、ＦＢによる回路の安定化に影響を与えるため、偏向波形が１水平期間前後で近似していること、又は１垂直期間で同じであることを利用して、ＦＢ信号を任意の遅延時間で遅延することにより、同じ位相で負帰還をかけるようにする必要があり、微妙な遅延時間の調整が必要となる。この微妙な遅延時間の調整をデジタル処理で行うことにより、Ｄ級増幅器の増幅度と偏向電流の安定を図ることが出来るという作用を有する。また、遅延手段の出力をデジタル値の状態で前記デジタル偏向波形発生装置にＦＢすることが出来るため、第１２の発明に対し、Ｄ／Ａコンバータが削減できるという作用を有する。また、ＦＢ信号をＰＷＭ変換し、ＰＷＭ信号としてＦＢする事により、デジタル偏向波形発生装置内部でのＦＢ処理が第１４の発明に対し、簡素化できるという作用を有する。
【００２０】
本願記載の第１６の発明は、ＣＲＴの偏向装置において、前記第１２、１３、１４及び１５の発明のＣＲＴ偏向装置において、デジタル値に変換された偏向電流検出データを任意の時間だけ遅延させる遅延手段の遅延量を信号方式情報に応じて制御する遅延量制御装置を備えることにより、信号方式の違いにより発生する水平期間又は垂直期間の違いに対応して遅延量を切り替えることにより、信号方式にに関係なく、Ｄ級増幅器の増幅度と偏向電流の安定を図ることが出来るという作用を有する。また、前記第７の発明に対し、微妙な遅延時間の調整をデジタル処理で行うことが可能であり、Ｄ級増幅器の増幅度と偏向電流の安定を図ることが出来るという作用を有する。本願記載の第１７の発明は、ＣＲＴの偏向装置において、ＨＰとＶＰと制御データを入力信号としてデジタル処理により任意の偏向波形をＰＷＭ方式で発生するデジタル偏向波形発生装置と、ＶＰ又はＨＰ垂直又は水平偏向基準信号を発生する偏向基準信号発生装置と、前記偏向波形発生装置の出力と前記垂直偏向基準信号発生装置の出力を合成する手段と、前記合成手段の出力をＰＷＭ方式で増幅するＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記電流検出装置により検出された偏向コイルに流れる電流量を検出した検出データをＰＷＭ方式に変調するＰＷＭ変調装置と、前記ＰＷＭ変調装置で変換された偏向電流検出データをデジタル値に変換する符号化装置と、前記符号化装置で符号化されたデジタル値を任意の時間だけ遅延させる遅延手段と、前記合成装置の出力であるオリジナル偏向信号の偏向基準信号と前記遅延装置の出力であるＦＢ信号の偏向基準信号との差を検出する位相差比較装置と、前記位相差比較装置の検出値に応じて前記遅延手段の遅延量を制御する制御手段、前記遅延手段の出力をデジタル値の状態で前記デジタル偏向波形発生装置にＦＢするＦＢラインとにより構成され、オリジナル信号とＦＢ信号の基準信号が一致するようにデジタル処理でＦＢ信号を遅延させるので、信号方式に関係なく正しいタイミングで負帰還を行うことが可能であり、前記第２〜１６の発明に対し、より一層のＤ級増幅器の増幅度と偏向電流の安定を図ることが出来るという作用を有する。
【００２１】
本願記載の第１９の発明は、ＣＲＴの偏向装置において、ＨＰとＶＰと制御データを入力信号としてデジタル処理により任意の偏向波形を作成するデジタル偏向波形発生装置と、偏向波形振幅を制御するための基準信号を発生する基準信号発生装置と、前記デジタル偏向波形発生装置のデジタル出力値をアナログに変換するＤ／Ａコンバータと、前記Ｄ／Ａコンバータの出力と前記基準信号発生装置の出力を合成する合成装置と、前記合成装置の出力を増幅する増幅度が制御可能な増幅器と、前記増幅器の出力を入力信号としてＰＷＭ方式で増幅する前記増幅器に対して十分増幅度が高いＤ級アンプと、前記Ｄ級アンプの出力の高周波数成分除去するＬＰＦと、前記ＬＰＦの出力信号でＣＲＴのビームを偏向する偏向コイルと、前記偏向コイルに流れる電流量を検出する電流検出装置と、前記検出装置により検出された基準信号の値と任意の比較基準値とを比較する基準信号振幅比較装置と、基準信号の値と任意の比較基準値とが同じ値となるように前記基準信号振幅比較装置の出力を入力として前記デジタル偏向波形発生装置の出力振幅値を制御する偏向波形出力振幅制御装置とにより構成され、ＦＢラインに遅延装置を必要とせず、偏向電流の振幅の安定度を確保出来るという作用を有する。
【００２２】
以下、本発明の実施の形態について、図１から図１７を用いて説明する。（実施の形態１）図１は第１および第２の発明に記載のＣＲＴ偏向装置のブロック構成図を示す。図１において偏向波形発生装置１の出力は、ＰＷＭ方式で増幅するＤ級アンプ２に入力され偏向に必要な電流が得られる振幅値まで大きく増幅される。前記Ｄ級アンプ２の効率はＡ、Ｂ、及びＡＢ級の増幅器に対して高いため、最も高い増幅度の必要な増幅器でＤ級増幅器を使用して損失分を低減させることにより、消費電力を低減し、放熱版を削除できるという作用を有する。前記Ｄ級アンプ２の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。任意の負荷５は、前記偏向コイル４と前記ＬＰＦ３との適合性を調整するものである。
【００２３】
（実施の形態２）図２は第１および第２の発明に記載のＣＲＴ偏向装置のブロック構成図を示す。図２において偏向波形発生装置１の出力は、正負２入力を有する反転増幅器６に入力されて信号振幅が調整される。前記反転増幅器６の出力はＰＷＭ方式で増幅するＤ級アンプ２に入力され偏向に必要な電流が得られる振幅値まで大きく増幅される。前記Ｄ級アンプ２の効率はＡ、Ｂ、及びＡＢ級の増幅器に対して高いため、最も高い増幅度の必要な増幅器でＤ級増幅器を使用して損失分を低減させることにより、消費電力を低減し、放熱版を削除できるという作用を有する。前記Ｄ級アンプ２の出力は、第１のＬＰＦ７で妨害の原因及び偏向電流に不要な成分である高周波成分が除去される。前記ＬＰＦ７の出力は、偏向コイル４に偏向電流として流れてＣＲＴを偏向する。任意の負荷５は、前記偏向コイル４と前記ＬＰＦ３との適合性を調整するものである。また、前記Ｄ級アンプ２の出力は、第２のＬＰＦ８で不要な成分である高周波成分が除去される。前記第２のＬＰＦ８による遅延時間は、前記第１のＬＰＦ７の遅延時間よりも小さく、ＦＢ信号を作成するのに適している。前記第２のＬＰＦ８の出力は、ＦＢ信号としてＦＢライン９で前記正負２入力を有する反転増幅器６の負入植端子に入力され、負帰還が行われる。
【００２４】
（実施の形態３）図３は第１および第４の発明に記載のＣＲＴ偏向装置のブロック構成図を示す。図３において偏向波形発生装置１の出力は、正負２入力を有する反転増幅器６に入力されて信号振幅が調整される。前記反転増幅器６の出力はＰＷＭ方式で増幅するＤ級アンプ２に入力され偏向に必要な電流が得られる振幅値まで大きく増幅される。前記Ｄ級アンプ２の効率はＡ、Ｂ、及びＡＢ級の増幅器に対して高いため、最も高い増幅度の必要な増幅器でＤ級増幅器を使用して損失分を低減させることにより、消費電力を低減し、放熱版を削除できるという作用を有する。前記Ｄ級アンプ２の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置で検出されたデータは、ＦＢ信号としてＦＢライン９で前記正負２入力を有する反転増幅器６の負入植端子に入力され、負帰還が行われる。
【００２５】
（実施の形態４）図４は第１および第５の発明に記載のＣＲＴ偏向装置のブロック構成図を示す。図４において偏向波形発生装置１の出力は、正負２入力を有する反転増幅器６に入力されて信号振幅が調整される。前記反転増幅器６の出力はＰＷＭ方式で増幅するＤ級アンプ２に入力され偏向に必要な電流が得られる振幅値まで大きく増幅される。前記Ｄ級アンプ２の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置で検出されたデータは、検出データを約１水平期間以内の任意の時間だけ遅延させる遅延装置１１に入力される。前記遅延装置１１の出力は、ＦＢ信号としてＦＢライン９で前記正負２入力を有する反転増幅器６の負入植端子に入力され、負帰還が行われる。
【００２６】
（実施の形態５）図５は第１および第６の発明に記載のＣＲＴ偏向装置のブロック構成図を示す。図５において偏向波形発生装置１の出力は、正負２入力を有する反転増幅器６に入力されて信号振幅が調整される。前記反転増幅器６の出力はＰＷＭ方式で増幅するＤ級アンプ２に入力され偏向に必要な電流が得られる振幅値まで大きく増幅される。前記Ｄ級アンプ２の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置で検出されたデータは、検出データを約１垂直期間以内の任意の時間だけ遅延させる遅延装置１１に入力される。前記遅延装置１１の出力は、ＦＢ信号としてＦＢライン９で前記正負２入力を有する反転増幅器６の負入植端子に入力され、負帰還が行われる。
【００２７】
（実施の形態６）図６は第１および第７の発明に記載のＣＲＴ偏向装置のブロック構成図を示す。図６において偏向波形発生装置１の出力は、正負２入力を有する反転増幅器６に入力されて信号振幅が調整される。前記反転増幅器６の出力はＰＷＭ方式で増幅するＤ級アンプ２に入力され偏向に必要な電流が得られる振幅値まで大きく増幅される。前記Ｄ級アンプ２の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置で検出されたデータは、検出データを任意の時間だけ遅延させる遅延装置１２に入力される。前記遅延装置１２の出力は、ＦＢ信号としてＦＢライン９で前記正負２入力を有する反転増幅器６の負入植端子に入力され、負帰還が行われる。また、ＴＶ受信機に入力されている信号方式を検出する信号方式検出装置１４の出力は、前記遅延装置１２の遅延時間を制御する制御装置１３に入力される。
【００２８】
（実施の形態７）図７は第１および第８の発明に記載のＣＲＴ偏向装置のブロック構成図を示す。図７において偏向波形発生装置１の出力は、正負２入力を有する反転増幅器６に入力されて信号振幅が調整される。前記反転増幅器６の出力はＰＷＭ方式で増幅するＤ級アンプ２に入力され偏向に必要な電流が得られる振幅値まで大きく増幅される。前記Ｄ級アンプ２の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置で検出されたデータは、検出データを約１水平期間以内の任意の時間だけ遅延させる遅延装置１１に入力される。前記遅延装置１１の出力は、ＦＢ信号としてＦＢライン９で前記正負２入力を有する反転増幅器６の負入植端子に入力され、負帰還が行われる。また、前記偏向波形発生装置１の出力信号とＦＢ信号は、入力される２つの信号の水平偏向開始ポイントの位相差を比較する水平偏向波形位相差検出手段１５に入力される。前記水平偏向波形位相差検出手段１５の出力は、前記遅延装置１１の遅延時間を制御する制御装置１６に入力される。
【００２９】
（実施の形態８）図８は第１および第９の発明に記載のＣＲＴ偏向装置のブロック構成図を示す。図８において偏向波形発生装置１の出力は、正負２入力を有する反転増幅器６に入力されて信号振幅が調整される。前記反転増幅器６の出力はＰＷＭ方式で増幅するＤ級アンプ２に入力され偏向に必要な電流が得られる振幅値まで大きく増幅される。前記Ｄ級アンプ２の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置で検出されたデータは、検出データを約１垂直期間以内の任意の時間だけ遅延させる遅延装置１１に入力される。前記遅延装置１１の出力は、ＦＢ信号としてＦＢライン９で前記正負２入力を有する反転増幅器６の負入植端子に入力され、負帰還が行われる。また、前記偏向波形発生装置１の出力信号とＦＢ信号は、入力される２つの信号の垂直偏向開始ポイントの位相差を比較する水平偏向波形位相差検出手段１７に入力される。前記垂直偏向波形位相差検出手段１７の出力は、前記遅延装置１１の遅延時間を制御する制御装置１６に入力される。
【００３０】
（実施の形態９）図９は第１および第１０の発明に記載のＣＲＴ偏向装置のブロック構成図を示す。図９において偏向波形発生装置１の出力とＨＰ及びＶＰにより水平偏向基準信号を発生する水平基準信号発生装置１７の出力は、合成装置１８に入力される。前記合成装置１８の出力は、正負２入力を有する反転増幅器６に入力されて信号振幅が調整される。前記反転増幅器６の出力はＰＷＭ方式で増幅するＤ級アンプ２に入力され偏向に必要な電流が得られる振幅値まで大きく増幅される。前記Ｄ級アンプ２の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置で検出されたデータは、検出データを約１水平期間以内の任意の時間だけ遅延させる遅延装置１１に入力される。前記遅延装置１１の出力は、ＦＢ信号としてＦＢライン９で前記正負２入力を有する反転増幅器６の負入植端子に入力され、負帰還が行われる。また、前記合成装置１８の出力信号とＦＢ信号は、入力される２つの信号の基準信号の位相差を比較する水平偏向波形位相差検出手段１５に入力される。前記水平偏向波形位相差検出手段１５の出力は、前記遅延装置１１の遅延時間を制御するため、前記遅延装置１１に入力される。
【００３１】
（実施の形態１０）図１０は第１および第１１の発明に記載のＣＲＴ偏向装置のブロック構成図を示す。図１０において偏向波形発生装置１の出力とＨＰ及びＶＰにより垂直偏向基準信号を発生する垂直基準信号発生装置１７の出力は、合成装置１８に入力される。前記合成装置１８の出力は、正負２入力を有する反転増幅器６に入力されて信号振幅が調整される。前記反転増幅器６の出力はＰＷＭ方式で増幅するＤ級アンプ２に入力され偏向に必要な電流が得られる振幅値まで大きく増幅される。前記Ｄ級アンプ２の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置で検出されたデータは、検出データを約１垂直期間以内の任意の時間だけ遅延させる遅延装置１１に入力される。前記遅延装置１１の出力は、ＦＢ信号としてＦＢライン９で前記正負２入力を有する反転増幅器６の負入植端子に入力され、負帰還が行われる。また、前記合成装置１８の出力信号とＦＢ信号は、入力される２つの信号の基準信号の位相差を比較する垂直偏向波形位相差検出手段１５に入力される。前記垂直偏向波形位相差検出手段１５の出力は、前記遅延装置１１の遅延時間を制御するため、前記遅延装置１１に入力される。
【００３２】
（実施の形態１１）図１１は第１および第１２の発明に記載のＣＲＴ偏向装置のブロック構成図を示す。図１１においてＨＰ、ＶＰ、ＤＡＴＡ及びＣＬＫを入力信号として任意の偏向波形を発生するデジタル偏向波形発生装置２２の出力は、Ｄ／Ａコンバータ１９でアナログ波形に変換され、正負２入力を有する反転増幅器６に入力されて信号振幅が調整される。前記反転増幅器６の出力はＰＷＭ方式で増幅するＤ級アンプ２に入力され偏向に必要な電流が得られる振幅値まで大きく増幅される。前記Ｄ級アンプ２の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置１０で検出されたデータは、Ａ／Ｄコンバータ２０でデジタル値に変換され、デジタルデータ遅延手段２１に入力され、遅延される。前記デジタルデータ遅延手段２１の出力は、Ｄ／Ａコンバータ１９でアナログ波形に変換され、ＦＢ信号としてＦＢライン９で前記正負２入力を有する反転増幅器６の負入植端子に入力され、負帰還が行われる。
【００３３】
（実施の形態１２）図１２は第１および第１３の発明に記載のＣＲＴ偏向装置のブロック構成図を示す。図１２においてＨＰ、ＶＰ、ＤＡＴＡ及びＣＬＫを入力信号として任意の偏向波形を発生するデジタル偏向波形発生装置２３の出力は、Ｄ／Ａコンバータ１９でアナログ波形に変換され、ＰＷＭ方式で増幅するＤ級アンプ２に入力され偏向に必要な電流が得られる振幅値まで大きく増幅される。前記Ｄ級アンプ２の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置１０で検出されたデータは、Ａ／Ｄコンバータ２０でデジタル値に変換され、デジタルデータ遅延手段２１に入力され、遅延される。前記デジタルデータ遅延手段２１の出力は、デジタルデータを負帰還データとして入力可能な前記デジタル偏向波形発生装置２２にＦＢ信号としてＦＢライン９で入力され、負帰還が行われる。
【００３４】
（実施の形態１３）図１３は第１および第１４の発明に記載のＣＲＴ偏向装置のブロック構成図を示す。図１３においてＨＰ、ＶＰ、ＤＡＴＡ及びＣＬＫを入力信号として任意の偏向波形をＰＷＭ信号で発生するデジタル偏向波形発生装置２３の出力は、ＰＷＭ信号を増幅するアンプ２４に入力され偏向に必要な電流が得られる振幅値まで大きく増幅される。前記アンプ２４の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置１０で検出されたデータは、Ａ／Ｄコンバータ２０でデジタル値に変換され、デジタルデータ遅延手段２１に入力され、遅延される。前記デジタルデータ遅延手段２１の出力は、デジタルデータを負帰還データとして入力可能な前記デジタル偏向波形発生装置２３にＦＢ信号としてＦＢライン９で入力され、負帰還が行われる。
【００３５】
（実施の形態１４）図１４は第１および第１５の発明に記載のＣＲＴ偏向装置のブロック構成図を示す。図１４においてＨＰ、ＶＰ、ＤＡＴＡ及びＣＬＫを入力信号として任意の偏向波形をＰＷＭ信号で発生するデジタル偏向波形発生装置２３の出力は、ＰＷＭ信号を増幅するアンプ２４に入力され偏向に必要な電流が得られる振幅値まで大きく増幅される。前記アンプ２４の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置１０で検出されたデータは、ＰＷＭ変調装置２５でＰＷＭ信号に変調される。前記ＰＷＭ変調装置２５の出力は、符号化装置２６に入力されてデジタルデータに変換される。前記符号化装置２６の出力は、デジタルデータ遅延手段２１に入力されて遅延される。前記デジタルデータ遅延手段２１の出力は、デジタルデータを負帰還データとして入力可能な前記デジタル偏向波形発生装置２３にＦＢ信号としてＦＢライン９で入力され、負帰還が行われる。
【００３６】
（実施の形態１５）図１５は第１および第１６の発明に記載のＣＲＴ偏向装置のブロック構成図を示す。図１５においてＨＰ、ＶＰ、ＤＡＴＡ及びＣＬＫを入力信号として任意の偏向波形をＰＷＭ信号で発生するデジタル偏向波形発生装置２３の出力は、ＰＷＭ信号を増幅するアンプ２４に入力され偏向に必要な電流が得られる振幅値まで大きく増幅される。前記アンプ２４の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置１０で検出されたデータは、ＰＷＭ変調装置２５でＰＷＭ信号に変調される。前記ＰＷＭ変調装置２５の出力は、符号化装置２６に入力されてデジタルデータに変換される。前記符号化装置２６の出力は、デジタルデータ遅延手段２１に入力されて遅延される。前記デジタルデータ遅延手段２１の出力は、デジタルデータを負帰還データとして入力可能な前記デジタル偏向波形発生装置２３にＦＢ信号としてＦＢライン９で入力され、負帰還が行われる。また、遅延量制御装置２７は、ＴＶ受信機に入力されている信号方式の情報を入力信号として、前記デジタルデータ遅延手段２１の遅延量を制御する。
【００３７】
（実施の形態１６）図１６は第１および第１７の発明に記載のＣＲＴ偏向装置のブロック構成図を示す。図１６においてＨＰ、ＶＰ、ＤＡＴＡ及びＣＬＫを入力信号として任意の偏向波形をＰＷＭ信号で発生するデジタル偏向波形発生装置２３の出力と、同じくＨＰ、ＶＰ、ＤＡＴＡ及びＣＬＫを入力信号として水平又は垂直偏向の基準信号を作成する基準信号作成装置２８の出力は、合成装置２９で合成される。前記合成装置２９の出力は、ＰＷＭ信号を増幅するアンプ２４に入力され偏向に必要な電流が得られる振幅値まで大きく増幅される。前記アンプ２４の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置１０で検出されたデータは、ＰＷＭ変調装置２５でＰＷＭ信号に変調される。前記ＰＷＭ変調装置２５の出力は、符号化装置２６に入力されてデジタルデータに変換される。前記符号化装置２６の出力は、デジタルデータ遅延手段２１に入力されて遅延される。前記デジタルデータ遅延手段２１の出力は、デジタルデータを負帰還データとして入力可能な前記デジタル偏向波形発生装置２３にＦＢ信号としてＦＢライン９で入力され、負帰還が行われる。また、位相差比較装置３０は、前記合成装置２９の出力の基準信号と前記デジタルデータ遅延手段２１の出力の基準信号の位相差を比較し、位相差情報を遅延量制御装置２７に出力する。前記遅延量制御装置２７は、前記合成装置２９の出力の基準信号と前記デジタルデータ遅延手段２１の出力の基準信号の位相差が発生しないように、前記デジタルデータ遅延手段２１の遅延量を制御する。
【００３８】
（実施の形態１７）図１１は第１、１８および第１９の発明に記載のＣＲＴ偏向装置のブロック構成図を示す。図１１において、デジタル偏向波形発生装置１８は、ＨＰとＶＰと制御データを入力信号としてデジタル処理により任意の偏向波形を作成する。基準信号発生装置３１は、偏向波形振幅を制御するために基準となる基準信号を発生する。前記デジタル偏向波形発生装置１８のデジタル出力値は、Ｄ／Ａコンバータ１９によりアナログに変換される。合成装置３２は、前記Ｄ／Ａコンバータ１９の出力と前記基準信号発生装置３１の出力を合成する。前記合成装置３２の出力は、増幅度制御可能な増幅器３５に入力され、振幅値が制御される。前記増幅器３５出力は、ＰＷＭ方式で増幅するＤ級アンプ２に入力され偏向に必要な電流が得られる振幅値まで大きく増幅される。前記Ｄ級アンプ２の出力は、ＬＰＦ３で妨害の原因及び偏向電流に不要な成分である高周波成分が除去される。前記ＬＰＦ３の出力は、偏向コイル４に偏向電流として流れてＣＲＴを偏向する。前記偏向コイル４に流れる電流は、偏向電流検出装置１０に流入し、偏向電流が検出される。前記偏向電流検出装置１０で検出されたデータは、基準信号振幅比較装置３３に入力される。前記基準信号振幅比較装置３３は前記検出装置１０により検出された信号内の基準信号の振幅値と任意の基準値とを比較し、比較データを偏向波形出力振幅制御装置３４に入力する。前記偏向波形出力振幅制御装置３４は、基準信号の値と任意の比較基準値とが同じ値となるように前記増幅器３５の増幅度を制御する。
【００３９】
【発明の効果】
以上のように本発明によれば、偏向装置において熱に変換されたいたエネルギーの低減を図ることができ、従来の方式に対して省電力化を図ることができるという有利な効果が得られる。
【００４０】
また、熱に変換された損失分からアナログ増幅器を保護するため必要とされていた放熱版が削除可能となり、放熱版があるために発生していた基板パターン設計時や基板構成設計時の制約条件がなくなり、設計の自由度を増すという有利な効果が得られる。
【図面の簡単な説明】
【図１】本発明の実施の形態１の偏向装置のブロック構成図
【図２】本発明の実施の形態２の偏向装置のブロック構成図
【図３】本発明の実施の形態３の偏向装置のブロック構成図
【図４】本発明の実施の形態４の偏向装置のブロック構成図
【図５】本発明の実施の形態５の偏向装置のブロック構成図
【図６】本発明の実施の形態６の偏向装置のブロック構成図
【図７】本発明の実施の形態７の偏向装置のブロック構成図
【図８】本発明の実施の形態８の偏向装置のブロック構成図
【図９】本発明の実施の形態９の偏向装置のブロック構成図
【図１０】本発明の実施の形態１０の偏向装置のブロック構成図
【図１１】本発明の実施の形態１１の偏向装置のブロック構成図
【図１２】本発明の実施の形態１２の偏向装置のブロック構成図
【図１３】本発明の実施の形態１３の偏向装置のブロック構成図
【図１４】本発明の実施の形態１４の偏向装置のブロック構成図
【図１５】本発明の実施の形態１５の偏向装置のブロック構成図
【図１６】本発明の実施の形態１６の偏向装置のブロック構成図
【図１７】本発明の実施の形態１７の偏向装置のブロック構成図
【符号の説明】
１  偏向波形発生装置
２  Ｄ級増幅器
３  ＬＰＦ
４  偏向コイル
５  任意の負荷
６  反転増幅器
７  第１のＬＰＦ
８  第二のＬＰＦ
９  ＦＢライン
１０  偏向電流検出装置
１１  遅延装置
１２  遅延装置
１３  遅延量制御装置
１４  信号方式検出装置
１５  水平偏向波形位相差検出手段
１６  遅延量制御装置
１７  垂直偏向波形位相差検出装置
１８  合成装置
１９  Ｄ／Ａコンバータ
２０  Ａ／Ｄコンバータ
２１  デジタルデータ遅延手段
２２  デジタル偏向波形発生装置
２３  デジタル偏向波形発生装置
２４  増幅器
２５  ＰＷＭ変調装置
２６  符号化装置
２７  遅延量制御装置
２８  基準信号作成装置
２９  合成装置
３０  位相差比較装置
３１  基準信号発生装置
３２  合成装置
３３  基準信号振幅比較装置
３４  偏向波形出力振幅制御装置
３５  増幅器
【図１】
0003632428.tif 000002
【図２】
0003632428.tif 000003
【図３】
0003632428.tif 000004
【図４】
0003632428.tif 000005
【図５】
0003632428.tif 000006
【図６】
0003632428.tif 000007
【図７】
0003632428.tif 000008
【図８】
0003632428.tif 000009
【図９】
0003632428.tif 000010
【図１０】
0003632428.tif 000011
【図１１】
0003632428.tif 000012
【図１２】
0003632428.tif 000013
【図１３】
0003632428.tif 000014
【図１４】
0003632428.tif 000015
【図１５】
0003632428.tif 000016
【図１６】
0003632428.tif 000017
【図１７】
0003632428.tif 000018